(57)【要約】      （修正有）【課題】パーソナルコンピュータは特定の仕事または機能を実行するために変更を加えられるかもしれない多目的デバイスを提供する。【解決手段】デスクトップコンピュータは、動物、想像上の動物、漫画／アニメのキャラクター、ロボットを含め、すべての人工対象物または自然の対象物、想像上のキャラクターまたは実在のキャラクターに似る三次元小立像形状の筐体を有する。小立像筐体も、小立像の体の部分に類似した可動で交換可能な部分を有することができる。例えば、頭、腕、足、顔の要素、尾。【選択図】図１
2007018485.tif 000002
【特許請求の範囲】
【請求項１】
多目的パーソナルコンピュータシステムであって、
マザーボードとハードドライブを有する汎用パーソナルコンピュータを入れるための大きさ及び寸法とされた三次元小立像筐体と、
電子的に筐体に接続するメディア・リーダと、
筐体に外部で、パーソナルコンピューターに電子的に接続するモニタと、
筐体に外部で、パーソナルコンピューターに電子的に接続するデータ入力装置とを含み、
小立像筐体は、実質的に非長方形である、多目的パーソナルコンピュータシステム。
【請求項２】
データ入力装置が、３０以上のキーを持っているキーボードである請求項１のシステム。
【請求項３】
データ入力装置が、マウス、トラックボール、ジョイスティック、ゲーム・コントローラ、デジタル・ペン、タッチスクリーンからなるグループから選ばれる少なくとも１つの部材である請求項１のシステム。
【請求項４】
更にパーソナルコンピューターに接続する通信装置よりなる請求項１のシステム。
【請求項５】
通信装置が、マイクロフォン、スピーカー、デジタルカメラ、ヘッドフォン、動きセンサ、および電話からなるグループから選ばれる少なくとも１つの部材である請求項４のシステム。
【請求項６】
通信装置が小立像筐体の頭部部分内に配置されている請求項５のシステム。
【請求項７】
また、メディア・リーダが、ＣＤ、ＤＶＤ、ＶＣＤ、フロッピー（登録商標）ディスク、およびフラッシュカードから構成されるグループから選択された、少なくとも１つの取り外し可能なメディアを読むことができる請求項１のシステム。
【請求項８】
小立像が動物の全体的な外観を有する請求項１のシステム。
【請求項９】
動物が哺乳類である請求項８のシステム。
【請求項１０】
動物が想像上の動物である請求項８のシステム。
【請求項１１】
筐体が、自然のポリマー、合成ポリマー、金属、金属合金、自然発生の材料、織物繊維、自然の繊維、合成繊維と高分子材料から構成されるグループからの少なくとも１つの材料から成る請求項１のシステム。
【請求項１２】
織物が柔毛でおおわれた請求項１１のシステム。
【請求項１３】
漫画／アニメのキャラクターの全体的な外観を有する請求項１のシステム。
【請求項１４】
ロボットの全体的な外観を有する請求項１のシステム。
【請求項１５】
筐体が、小立像の頭部、小立像の腕、小立像の尾、小立像の目、小立像の耳、小立像の顔の要素、小立像の足を構成するグループから選択された少なくとも一つの部材の全体的な外観を有する少なくとも一つの可動部分を構成する請求項１のシステム。
【請求項１６】
小立像が、小立像の頭部の全体的な外観を有する分離できる部分を含む請求項１のシステム。
【請求項１７】
取り外しできる部分が他の頭部と交換可能である請求項１６のシステム。
【請求項１８】
パーソナルコンピュータシステムのマザーボードとハードドライブの筐体のためのパーソナルコンピュータの外被であって、外被が、
動物、ロボット、人間、キャラクターの小立像、移動装置、電気を使用しない家庭用品、およびスポーツ用品を構成するグループから選ばれる少なくとも１つの部材に、部分として似ている点を有する三次元の外形を有し、
キーボード、マウス、モニタ、メディアドライブ、スピーカ、デジタル・カメラおよびワールドワイド・ウェブ（ＷＷＷ)のようなネットワークを構成するグループから選択された部材と接続するように適合された少なくとも一つの電気コネクタにユーザーアクセス領域を外被がさらに画定し、
そこでは、コンピュータは、対角線が少なくとも２５ｃｍの寸法で外付けして外被に配置されたモニタ画面を有する、パーソナルコンピュータの外被。
【請求項１９】
パーソナルコンピュータシステムは、ＤＯＳ、Ｕｎｉｘ（登録商標）、マイクロソフト（商標）ウインドウズ、ＯＳ／２、およびアップル（商標）ＯＳからなるグループから選ばれるオペレーティングシステムでサポートされる請求項１８の外被。
【請求項２０】
外被がマウスに接続する請求項１９の外被。
【発明の詳細な説明】
【技術分野】
【０００１】
本出願は、２００５年７月８日に出願の米国仮出願連続番号第６０／６９７９２１号に対する優先権を請求するものである。
【０００２】
発明の属する分野は、コンピュータハードウェアであり、特にパーソナルコンピューターの完全な筐体を一般に定義する構造上外被に関するものである。
【背景技術】
【０００３】
パーソナルコンピューターは、特定の仕事または機能を実行するために変更を加えられるかもしれない多目的デバイスである。パーソナルコンピューターは、マザーボード、電源、筐体内に取り付けられるその他の構成部品を通常含む。コンピュータの筐体は、コンピュータ内の電気素子を保護し収容するコンピュータシステムにおける重要な機械的要素である。本筐体は、通常、デスクトップ、タワーまたはラックマウント構成で使われる機能を有する。
【発明の開示】
【発明が解決しようとする課題】
【０００４】
長年にわたり、コンピュータ筐体の改良が開示されてきた。米国特許第５，５９０，９３８号明細書（ここにその全体を参考のために組み込む）は、筐体を含みいくつかの必要条件やフレーム構造のための選択に取り組んでいる。コンピュータ筐体におけるこれらの改良は、通常、アッセンブリの平易さ、強い構造上の支持、および信頼できるＥＭＩ／ＲＦＩシールドを提供する。
【０００５】
しかしながら、コンピュータ筐体の外観に関する装飾的な改良は、ほとんどなかった。
【０００６】
パーソナルコンピュータシステムのための既知のコンピュータ筐体は、机の上に置かれた場合、四角くて、金属的で、とりわけ体裁が悪い。四角いコンピュータシステムが持つ美的でない印象を改善する一つの方法は、単純にそれを隠すことである。机の下に置くことができるコンピュータシステムもあるが、他は四角いコンピュータシステムをコンピュータ・モニタの下に置く設計がなされている。
【０００７】
従来型のコンピュータ筐体は、歪み、ある場合には変形することなく、筐体の上に置いたコンピュータ・モニタの重さに耐える十分な強度と剛性を持たないかもしれない。この問題に対する１つの答えは、補剛部材を筐体の上のカバーに追加することになっている。しかしながら、筐体の全高が仕様書の範囲内で保たれることになっているならば、そのような補剛部材は、拡張カードのような筐体内の構成部品のために使用できる高さを減少させるかもしれない。
【０００８】
このように、審美的に魅力があり、品の良い、子供にとって魅力的な、そしてあるいは個性を表現するコンピュータ筐体についての要求がある。
【０００９】
本出願および全ての他の参照した特許と応用は、全体として本願に引用して援用する。
【００１０】
さらにまた、もしここに引用された文献に含まれる用語の定義または使用が一貫しておらず、またはここにある用語の定義に相容れない場合、ここにある用語の定義が適用され、引用された文献における用語の定義は適用されない。
【課題を解決するための手段】
【００１１】
本発明は、三次元小立像形状の筐体を持つコンピュータにおける装置とシステムを提供する。
【００１２】
特別な利益があるのは、「デスクトップ」装置としてここに特徴付けられているコンピュータと外部電源線でたいていは、または完全に電力を得ているコンピュータである。これはラップトップ、パーム・コンピュータ、ＰＤＡ（携帯情報端末機器）、携帯電話、大部分の電子的おもちゃ、玩具ロボット、その他と対照をなし、その大部分はバッテリーパワーに頼るゆえ、その全てはここでは「携帯装置」として述べる。
【００１３】
発明の主題の好適実施例において、キーボード、マウス、トラックボール、ジョイスティック、ゲーム・コントローラ、デジタル・ペンとタッチスクリーンを含むデータエントリ装置に接続するために本コンピュータは適している。また、ＣＤ、ＤＶＤ、ＶＣＤ、フロッピー（登録商標）ディスク、およびフラッシュカードから構成されるグループから選択された、少なくとも１つの取り外し可能な媒体を読むことができるメディア・リーダに接続するために、本コンピュータが適していることが考えられる。
【００１４】
また、コンピュータが、マイクロフォン、スピーカ、デジタル・カメラ、ヘッドホン、動きセンサ、および電話を含む通信装置に接続するのに適していることが考えられる。通信装置が視界から隠れているように見えるように、通信装置を小立像に任意に取り込むことができる。例とすれば、デジタル・カメラを小立像の目に配置し、スピーカを小立像の口に配置することができる。
【００１５】
企図された三次元小立像は、あらゆる人工的物体または自然物、想像上の人物、あるいは実在の人物に似せることができる。実施例には、動物、想像上の動物、漫画やアニメに出てくるキャラクター、およびロボットを含む。
【００１６】
企図された小立像も、小立像の胴部に類似した可動部分を有することができる。実施例として、頭、腕、足、顔の要素、尾がある。そのような形態のボディ部分は、任意に取り外し可能であり得、交換可能であり得る。
【００１７】
三次元形態の筐体は、織物のような外装を有することを含み、異なる材料で作成し得る。
【００１８】
本パーソナルコンピュータシステムは、ＤＯＳ、Ｕｎｉｘ（登録商標）、Ｍｉｃｒｏｓｏｆｔ  Ｗｉｎｄｏｗｓ（登録商標）、ＯＳ／２、およびアップル（商標）ＯＳからなるグループから選ばれるオペレーティングシステムでサポートされることが企図される。
【００１９】
本発明の各種目的、特徴、外観、および先行技術に優る効果は、同じ数字が同じ構成要素を表す添付の図面に加えて発明の好適実施例の以下の詳細な説明から明らかになる。
【００２０】
特許請求の範囲において明示する発明のイラスト実施例として示される好適実施例の以下の詳細な説明を参照することにより、発明とその各種の実施例はより良く理解できる。特許請求の範囲により明示される発明が、下記に記述されているイラストに記した実施例よりも幅広いかもしれないことが明白に理解できる。
【００２１】
発明の精神と範囲から逸脱することなく、当業者によって多くの改変と形態の変更を行うことができる。したがって、図で示した実施例が実施例の目的だけのために記載されたものであり、以下の特許請求の範囲によって定義されるように発明を制限していると解釈されてはならないと理解されねばならない。たとえば、特許請求の範囲の要素が特定の組合せの下で記載されるという事実にもかかわらず、当初にそのような組合せで請求される場合であってもここに開示される発明が少ないか、多い、または異なる要素の他の組み合わせを含むことが明確に理解されなくてはならない。
【００２２】
発明と各種の実施例を描写するためにこの明細書で使用される言葉は、通常定義される意味の感覚における理解のみならず、通常定義される意味の範囲を超えて本明細書の構造、材料、または行為における特別な定義を含み理解されなくてはならない。従って、一つ以上の意味を含むようにこの明細書の文脈において構成要素が理解することができれば、特許請求の範囲におけるその使用が明細書により、また言語そのものにより指示されるすべての可能性のある意味に対する総称的なものであり得ると理解されねばならない。
【００２３】
以下の特許請求の範囲の言語、または構成要素の定義は、したがって、文字通り記載される構成要素の組合せだけでなく、実質的に同じ結果を得るための実質的に同じ方法における実質的に同じ機能を実行するための全ての等価構造体、構成要素、または、動作を含む。この意味において、したがって、２またはそれ以上の構成要素の等価置換が以下の特許請求の範囲におけるどのような構成要素の一つのためにも行われ、あるいは特許請求の範囲における２つまたはそれ以上の構成要素を一つの構成要素に置き換えることができることを企図されている。特定の組合せ、および当初のものさえそのような組み合わせの特許範囲の請求が行われたものにおける動作として構成要素が上記のように記述されるのであるが、特許請求の範囲に記載されている組み合わせから１またはそれ以上の構成要素が、ある場合には組み合わせから削除され得る。そして特許請求の範囲に記載されているものはサブコンビネーション、あるいはサブコンビネーションの変形として明白に理解されるべきである。
【００２４】
通常の技能を有する当業者によって考察される特許請求の範囲に記載された対象からの実体のない変更は、現在知られるか、後で考案され、特許請求の範囲内に同等にあるとはっきり企図されるものである。したがって、慣用技術のある当業者による現在あるいは後に知られる明らかな置換は、明確にした構成要素の範囲内にあるものであることが明らかである。
【００２５】
特許請求の範囲には、このように、特に図示したものおよび上記に記述したもの、概念的に均等であるもの、明らかに置換されることができたもの、更には発明についての重要な考えを本質的に取り入れることを含むということを理解されるべきである。
【００２６】
このように、添付の図面と関連して以下に記載される詳細な説明は、発明の現在の好適実施例の説明として意図しており、本発明が構成される、あるいは活用される唯一の形態を表示することを目的としていない。説明は、図示された実施形態と関連して本発明を構成しかつ動作させるステップの作用及びシーケンスを述べる。しかしながら、発明の精神の範囲内に網羅される異なる実施例によって、同じ機能若しくは均等機能が達成されることが理解されるべきである。
【００２７】
ここで使われる「外被」とは、「筐体」である。
【００２８】
両方とも、デスクトップ・パーソナルコンピュータの電気構成部品に対する外側のカバーに適用する。
【００２９】
図１において、ＤＯＳ、ＶＭとＭＶＳ（またはＩＢＭ（商標）メインフレーム）、ＶＭＳ（ＤＥＣマシン用）、ＵＮＩＸ（登録商標）（ＡＩＸやＵｌｔｒｉｘ、ＵＩＣＯＳのように登録商標権を有する変形例）、マイクロソフト（商標）・ウインドウズ、マイクロソフト（商標）・ポケットＰＣ、ＯＳ／２およびアップル（商標）ＯＳのような人気オペレーション・システムを特に走らせるこれらのものを特に含むあらゆる多目的型データ処理機であるように、多目的型パーソナルコンピューター（ＰＣ）１０が、企図されている。ここでは、コンピュータは動物に似ている外形１００で示されている。外形は、また、外被１００または筐体１００と呼ぶことができる。一般的にコンピュータは、筐体１００に外付けのコンピュータ・モニタ５００とキーボード（図示せず）、マウス（図示せず）とともに用意されている。
【００３０】
汎用パーソナルコンピューター１０は、通常、多数のより小さなボード、または回路素子を接続することができるマザーボードを含む。このボードは、一般的にコンピュータシステムのバックボーンを定める。企図された実施例のためのマザーボードは、ノート・パソコンで使用されているもののように、望ましくは比較的小さい。それが同様に比較的小さい小立像を得るという点で、小さなサイズは有利である。特に好ましいマザーボードは、望ましくはＬＡＮ／Ｗｉ−Ｆｉ／Ｆｉｒｅｗｉｒｅ／ＵＳＢ接続性組み込み型の超小型ＡＴＸ／ＢＴＸメインボードである。マザーボードは、例えば、ＬＡＮ、Ｗｉ−Ｆｉ、Ｆｉｒｅｗｉｒｅ、Ｂｌｕｅｔｏｏｔｈ（商標）、ＵＳＢ及び他の通信構成要素を含む構成要素のどんな現実的な数およびタイプでも接続することができる。マザーボードも、望ましくは中央演算処理装置ソケットと２〜４つのＲＡＭスロット、３〜４つの拡張スロット、デジタル・テレビチューナ、アナログ・テレビチューナ、グラフィックボード、電源ユニット、冷却ファン、その他を有する。
【００３１】
パーソナルコンピュータ１０は、記憶装置と同様にオペレーショナル・ソフトウェアを格納するコンピュータの主要ドライブであるハードディスクを一般的に含む。デジタルデータが書き込まれそして磁気により消去される一つまたはそれ以上の磁気媒体プラッタよりなるハードドライブは、一般的に、パーソナルコンピュータにおける主記憶装置として機能する。
【００３２】
ここで使われるように、用語「デスクトップコンピュータ」または「パーソナルコンピューター」はそのような汎用コンピュータを意味することになっており、机の上の場所におく設計であるコンピュータ・システムに限られていない。デスクトップコンピュータは、また、机の下に置かれるコンピュータでもあり得る。
【００３３】
現在の発明の好適実施例において、パーソナルコンピューター１０はデータエントリ装置に連動し得る。これらのデータエントリ装置には、たとえば、キーボード（特に３０以上のキーを持っているもの）、マウス、トラックボール、ジョイスティック、ゲーム・コントローラ、デジタル・ペン、タッチスクリーン、その他を通常含む。
【００３４】
いくつかの実施形態においては、これらのデータエントリ装置は、電子的にパーソナルコンピューター１０に接続しているコンピュータ筐体の外部にある。たとえば、典型的なデスクトップ・コンピュータ・システムにおいて、キーボードは電子的にコンピュータ（ワイヤを介しまたはワイヤレスで）に接続する。しかしながら、キーボードが直接筐体に配置されていないように、キーボードはコンピュータ筐体への外付けである。これは、キーボードがラップトップコンピューターの外被内に封入されているラップトップコンピューターと対照をなすものである。これはコンピュータを埋め込まれたロボット（例えば、ソニー株式会社［Ｓｏｎｙ  ｃｏｒｐｏｒａｔｉｏｎ］からのＡＩＢＯ（登録商標）そしてアメリカ・ホンダモーター株式会社[Ａｍｅｒｉｃａｎ  Ｈｏｎｄａ  Ｍｏｔｏｒ  Ｃｏｍｐａｎｙ]によって作成されたＡｓｉｍｏ人型ロボット）そして、ロボット／装置の本体上にキーパッドを持っている一般電子機器（例えばパーム・コンピュータ、携帯情報端末機器類、携帯電話、全地球測位システム装置、ステレオ・システム）から区別するものである。
【００３５】
小立像筐体１００は、少なくとも部分的に、そして、望ましくは完全に汎用コンピュータを封じ込める。小立像筐体は、自然あるいは合成ポリマー、いろいろな金属と金属合金、天成の材料、織物繊維、そして全ての理にかなった組合せを含む材料のような、どんな適切な材料からであっても作成されることがあり得ることが通常企図される。さらに、小立像筐体１００はどんな適当な構成および寸法を有することができるが、望ましくは、動物、人間の登場人物、および漫画／アニメの登場人物を表現する。小立像カバーは望ましくは、高さ６０ｃｍ、幅３５ｃｍ、長さ６０ｃｍより大きくない。
【００３６】
適切な外観は、それによって小立像の外側像を表現する（動物、想像上の動物、ロボット、人間、漫画／アニメキャラクター、その他）であり、または少なくとも正面、側部、および上端からの小立像の一部（胴、頭部、その他）の「立体感を与えるもの」である。筐体の三次元形状は、また、生命があるようにはされていない物の外側イメージを表現することができる。これらは、通常たとえば移動装置（例えば、車、ボート、飛行機の机の上に置く模型）、電気製品ではない家庭の品物（例えば植木鉢、引き出し付き箪笥）およびスポーツ用品（例えばフットボール）を含む。考えは、コンピュータの露呈について、見苦しい金属的な箱以外のものを提供することである。企図されたコンピュータ筐体は、審美眼をもって訴えることができ、人をひきつけることができる。あるいは、部屋で他の家具に溶け込むことによって人々の注意をそれに引きつけないために、視覚的に押しつけがましくないようにできる。猫の単なる外観は、猫の外観が正面からのみ見え、側方あるいは上方から見えないゆえに、例えば、標準的なコンピュータ筐体の正面に合うとは、ここで用語が使用されるような「立体感を与える」とは考えられていない。また、それは、若干の装飾が提供された立体感を与える小立像であるとは考えられず、標準のコンピュータ筐体の長方形の形状は実質的に見えるか識別できるままであると考えられる。したがって、現在の発明の企図された実施例の主要目標は、デスクトップコンピュータが長方形に見えない、事実上長方形ではないコンピュータ筐体を提供することにある。
【００３７】
さらに図１で示されるように、パーソナルコンピューター１０は、コンピュータ・モニタ５００のように外付けの電子表示装置に接続する。
【００３８】
図２において、パーソナルコンピューター１０は小立像筐体１００を有し、電気コード１９０を介し電源につながっている。また、電源がバッテリー・パックによって提供することができるように企図する。
【００３９】
図２は、ある種の織物で、毛皮でおおわれたような子犬の動物のぬいぐるみのように見える小立像筐体１００の実施例を示す。電気回路と部品を支持し保護するために金属の骨組みが中にあるが、筐体１００の外側は毛皮で覆われたようになっており、柔らである。金属外被も、羽布張りからの静電荷から電気回路と部品を切り離す。筐体１００は、内部の電子的構成要素を保護し、美意識的に見た目や感じを訴える目的を意図するために、自然あるいは合成ポリマー、いろいろな金属と金属合金、天成の材料、織物ファイバー、そして全ての理にかなった組合せを含む材料のような、適切な材料からであっても作成されることがあり得ることが通常企図される。
【００４０】
パーソナルコンピューターは、望ましくは通信装置１１２Ａ−Ｃから成る。これら通信装置には、例えばマイクロフォン、スピーカ、デジタル・カメラ、ヘッドホン、動きセンサ、および電話を通常含む。
【００４１】
現在の発明の若干の実施例において、これらのオプションの通信装置が小立像の範囲内、例えば小立像の頭部部分に取り入れられるように筐体１００を設計することができる。図２において、パーソナルコンピューターは、眼の一方にデジタル・カメラ１１２Ａ（望ましくは、動きセンサを備える）、鼻中にマイクロフォン１１２Ｂを配置し、スピーカ１１２Ｃが口に配置されている。当業者による慣用技術のそれらが認めるごとく、筐体１００の上に描写されたこれらの選択機器は、審美眼のある、または特定用途の機能的必要性により決定付けられるごとく、直ちに修正することができる。したがって、これらの通信装置は、筐体の上のどこであっても設置することができる。
【００４２】
パーソナルコンピューターは、また、内蔵メディア読み取り／処理／記録のドライブ、または外付けメディア読み取り／処理／記録のドライブを有することができる。これらのドライブは、通常、たとえばＤＶＤ−ＲＯＭ１２２Ａ、ＤＶＤ＋／−ＲＷドライブ、フラッシュ・メディア・リーダ１２２Ｂ等のような光学ドライブを含む。企図されたメディアの読み取り／処理／記録のドライブは、読み取りリムーバブル・メディアである。これらのリムーバブル媒体は、通常、たとえばＣＤ、ＤＶＤ、ＶＣＤ、フロッピー（登録商標）ディスク、フラッシュカード等を含む。図２は、これらの装置が小立像の胸部領域に内部的に配置されていることを示す。
【００４３】
望ましくは、筐体１００は（手動または自動的に）動かせる部分を含む。図２において、モーターは頭部１１０、耳１１５、尾１３０の限られた運動をさせる。頭部１１０と尾１３０の動きは、動きセンサ（図示せず）によって制御することができる。当業者には、筐体の動かせる部分を制御する他の適切な方法が良く理解できる。たとえば、筐体は、使用者によりソフトを介して与えられたコメントに対し、特定の動く部分により反応することができる。また、コンピュータの起動または再起動時に、子犬の小立像は尾を振り、ほえることができる。
【００４４】
情動センサを備えたカメラは、反窃盗または監視機能における実用性を備えることができる。たとえば、その周辺で動いている対象物を感知するとき、子犬筐体の目に配置されたカメラ１１２Ａに装備された動きセンサは、イメージの記録を開始する。動いている対象物の画像をとらえるために、それから対象の動きについて頭部１１０は回る。その上、目にある動きセンサ１１２Ａが対象物の動きを近くに感じるとき、尾１３０を振る。当業者は、小立像の肢や顔の要素のような他の可動部の可能性を良く理解する。
【００４５】
さらに図２で示されるように、情報とシステム・ステータスの表示やデータ入力の方法を提供するためにＬＣＤタッチスクリーン１２４を筐体の上で任意に提供する。画像または情報を表示するために、他の電子的表示スクリーンは、筐体１００の上で表示画像または情報に提供されるかもしれない。他の一つの実施形態においては、パーソナルコンピューターは対角線が少なくとも２５ｃｍの寸法のモニタ画面に望ましくは接続し、外付けして筐体に配置した。これは電子表示装置を持っている家庭用電化製品と区別するものであるが、パーソナルコンピューターの現在のアプリケーションとは無関係である。これら家庭用電化製品の実施例は、ＰＤＡ（携帯情報端末機器）、携帯電話、形態末端ＧＰＳ（衛星利用測位システム）装置、コンソールにあるスクリーンによる車両コンピュータシステム、タッチスクリーン付きのコンピュータが埋め込まれた冷蔵庫を含む。
【００４６】
現在の筐体１００も、外付けメディアドライブ、イヤホンおよびスピーカのような、外付け電気装置に接続するための適切な電気コネクタ／ポート２２６Ａ、および、２２６Ｂを特徴とする。当業者は、外付け装置への接続について関連した目的のためのすべての適切なコネクタを良く理解する。これらの継手タイプは、ＵＳＢ／Ｆｉｒｅｗｉｒｅポート（例えばｉ．Ｌｉｎｋコネクタ、ＵＳＢタイプＡとＢコネクタ）、モニタ・コネクタ（例えば、１５ピンのＨＤ１５、ＢＮＣコネクタ、９ピンのＤＢ９、１３Ｗ３コネクタ）、プリンター・コネクタ（例えば雄と雌のＣＮ３６、雄と雌のＤＢ２５、ＨＰＣＮ３６、ＭＩＮＩＤＩＮ−８、ＤＢ９シリアル・コネクター）、他のコネクタ（（例えばＳ−ビデオ・コネクタ、ＲＣＡコネクタ、ＳＣコネクタ、ＳＴコネクタ、光ファイバーネットワーク・コネクタ、ＭＴＲＪ光ファイバー・ネットワークコネクタ、Ｔｏｓｌｉｎｋコネクタ）等を含むことができる。
【００４７】
図２は、電気装置への接続のために動物小立像の足にあるコネクタ／ポート１２６Ａ、１２６Ｂを示す。これらの電気装置の実施例が含むものは、キーボード、マウス、モニタ、メディアドライブ、電子表示装置、プリンター、スピーカ、デジタル・カメラ等に限らない。パーソナルコンピューターを、ワールドワイド・ウェブを含むネットワークにつなぐことができるコネクタを提供することができる。
【００４８】
発明の好適実施例において、筐体の内部構成要素に比較的容易にアクセスできる取り外し可能なマザーボード・トレー２５０を筐体が備えている。企図された筐体は、また、マザーボードへの素早いアクセスを提供する類似の目的のために、スライドするトレーに類似した他の機構を有することができる。
【００４９】
図３において、筐体１００は分離できる頭部を有し、その分離できる頭部１１０は他の頭部１１０と随意に交換可能である。この実施形態では、同じ胴のためにいくつかの小立像頭部のデザインがあるようにすることができる。
【００５０】
図４は、小立像がロボットである筐体１００を形どっている実施例に対する代替を図示する。図１−３の実施例と類似しているロボット実施例は、筐体の頭部内に配置された通信装置１１２Ａ、１１２Ｂ、１１２Ｃを有し、これら通信装置の設置と配置は視界から隠されていて見えない。これら通信装置には、例えばマイクロフォン、スピーカ、デジタル・カメラ、ヘッドホン、動きセンサ、および電話を通常含む。当業者による慣用技術のそれらが認めるごとく、筐体１００の上に描写されたこれらの選択機器は、審美眼のある、または特定用途の機能的必要性により決定付けられるごとく、直ちに修正することができる。したがって、これらの通信装置は、筐体の上のどこであっても設置することができる。
【００５１】
随意に、レシーバ・アンテナ１１４を設けることができる。これは、Ｗｉ−Ｆｉの接続性、または無線周波数のような他の適切な送信のためのアンテナであり得る。
【００５２】
外付けメディアドライブ、イヤホンおよびスピーカのような、外付け電気装置に接続するためのこの実施例において、コネクタ／ポート１２６Ａ、１２６Ｂが、同様に提供される。当業者は、外付け装置への接続について関連した目的のためのすべての適切なコネクタを良く理解する。これらのコネクタのタイプは、ＵＳＢ／Ｆｉｒｅｗｉｒｅポートを含むことができる。図２は、電気装置への接続のために動物小立像の足にあるコネクタ／ポート１２６Ａ、１２６Ｂを示す。これらの電気装置の実施例が含むものは、キーボード、マウス、モニタ、メディアドライブ、スピーカ、デジタル・カメラ等に限らない。パーソナルコンピューターを、ワールドワイド・ウェブを含むネットワークにつなぐことができるコネクタを提供することができる。
【００５３】
メディアドライブ１２２Ａ、１２２Ｂ、およびタッチスクリーン１２４は、随意的に提供される。図１−３に類似して、当業者は、含まれるべき多くのこれらの内部装置、および美学的に魅力があるように、筐体に配置されているそれらの場所をよく理解する。
【００５４】
ここで、筐体１００は、胴１２０から分離可能である、分離と交換可能な頭部１１０を有する。
【００５５】
図４において図示される実施例は、ソニー株式会社からのＡＩＢＯ（登録商標）および米国ホンダ・モーター株式会社により製作されたＡｓｉｍｏ人型ロボットのようなコンピュータを埋め込まれた移動ロボットから区別されるべきである。当業者は、現在の発明が非移動設定におけるパーソナルコンピュータにむけられたものであることを直ちに認めるであろう。更に具体的には、非携帯型デスクトップコンピュータである。
【００５６】
上記描写がデスクトップ・パーソナルコンピュータのための小立像の筐体に実質的に関係するのであるが、四角の金属の外被を一般的に有している家庭用電気製品の他のタイプ、例えばＰＶＲ（個人用ビデオ録画装置）、ＤＶＤ／ＣＤプレーヤー、ゲーム機、ＶＣＲ等、に対して類似の小立像筐体を提供し得ることも企図される。
【００５７】
ここで発明の概念から逸脱することなく、それらのすでに記述されている他のより多くの形態の変更が可能であることが当業者にとって明らかでなければならない。さらに、開示および企図された特許請求の範囲の解釈において、文脈と整合性が取れた最も幅広く考えられる方法ですべての用語は解釈されるべきである。特に、用語の「構成する」と「含む」は、参照文に引用された構成要素、構成部品、または段階が存在、あるいは利用され、またははっきりと参照文に引用されていない他の構成要素、構成部品、または段階と組み合わされ得たかもしれないものを示している構成要素、構成部品、または非排他的方法における段階に言及するものとして解釈されねばならない。明細書の特許請求の範囲が、少なくともＡ、Ｂ、Ｃ、、、、およびＮより成るグループから選択された何物かの一つに言及する場所は、その文は、グループからの単なる一つの構成要素を必要としていると理解されねばならず、ＡプラスＮ、またはＢプラスＮなどではない。
【００５８】
従って、特定の実施例とパーソナルコンピューター筐体の応用が、開示された。しかしながら、ここで発明の概念から逸脱することなく、それらのすでに記述されている他のより多くの形態の変更が可能であることが当業者にとって明らかでなければならない。発明の主題は、したがって、添付の特許請求の範囲の精神における以外制限されない。さらに、明細書および特許請求の範囲の両解釈において、文脈と整合性が取れた最も幅広く考えられる方法ですべての用語は解釈されるべきである。特に、用語の「構成する」と「含む」は、参照分に引用された構成要素、構成部品、またはステップが存在、あるいは利用され得たかも知れず、またははっきりと参照文に引用されていない他の構成要素、構成部品、またはステップと組み合わされ得たかもしれないものを示している、構成要素、構成部品、または非独占的方法におけるステップに言及するものとして解釈されねばならない。明細書の特許請求の範囲が、少なくともＡ、Ｂ、Ｃ、、、およびＮより成るグループから選択された何物かの一つに言及する場所は、その文は、グループからの単なる一つの構成要素を必要としていると理解されねばならず、ＡプラスＮ、またはＢプラスＮなどではない。
【図面の簡単な説明】
【００５９】
【図１】小立像筐体を有することを企図されたパーソナルコンピューターの透視図である。
【図２】子犬の小立像筐体を有することを企図されたパーソナルコンピューターの透視図である。
【図３】図２における実施例の議論の紛糾する眺めである。
【図４】現在の発明のもう一つの実施例の透視図である。
【図１】
2007018485.tif 000003
【図２】
2007018485.tif 000004
【図３】
2007018485.tif 000005
【図４】
2007018485.tif 000006
【外国語明細書】
2007018485.tif 000007
2007018485.tif 000008
2007018485.tif 000009
2007018485.tif 000010
2007018485.tif 000011
2007018485.tif 000012
2007018485.tif 000013
2007018485.tif 000014
2007018485.tif 000015
2007018485.tif 000016
2007018485.tif 000017
2007018485.tif 000018
2007018485.tif 000019
2007018485.tif 000020
2007018485.tif 000021
2007018485.tif 000022
2007018485.tif 000023
2007018485.tif 000024
2007018485.tif 000025